(57)【要約】【課題】通信販売事業者等が自己のコンピュータを用いて携帯電話機向けモバイルサイトのコンテンツを簡便に制作してモバイルサイトを提供するサーバにアップロードすることができる、コンテンツ制作装置、方法。【解決手段】コンテンツ制作画面の各一画面として、モジュール名表示部と、モバイル画面用選択モジュール名表示部と、モジュール内容表示部とを区画するコンテンツ制作画面を表示し、モジュール名表示部に、基本モジュール名と、所望の内容に作成する自由モジュール名をリストアップしていずれかを選択してモバイル画面用選択モジュール名表示部に移動表示し、配列を自在に変更し、モジュール内容表示部に表示し、又は書き込みして、モバイル画面用選択モジュール名表示部にリスト表示する基本モジュール名と自由モジュール名の配列で基本モジュールと自由モジュールをモバイルサイトの１画面のコンテンツとする。【選択図】図１
2007264859.tif 000002
【特許請求の範囲】
【請求項１】
携帯電話機向けモバイルサイトのコンテンツ制作画面の各一画面として、モジュール名表示部と、モバイル画面用選択モジュール名表示部と、モジュール内容表示部とを区画するコンテンツ制作画面を備え、
前記モジュール名表示部は、予め用意された複数の基本モジュールの基本モジュール名をリストアップすると共に、所望の内容に作成する自由モジュールの自由モジュール名とをリストアップするように構成され、
前記モジュール名表示部と前記モバイル画面用選択モジュール名表示部は、リスト表示する基本モジュール名と自由モジュール名のいずれかを選択して相互に移動表示自在に構成され、
前記モバイル画面用選択モジュール名表示部は、リスト表示する基本モジュール名と自由モジュール名の配列を変更自在に構成され、
前記モバイル画面用選択モジュール名表示部と前記モジュール内容表示部とは、モバイル画面用選択モジュール名表示部において基本モジュール名を選択するとそれに対応する基本モジュールのＨＴＭＬのタグを除いてテキスト又は画像名を表示し、自由モジュール名を選択するとそれに対応する自由モジュールのＨＴＭＬソースを表示し又は書き込みするように構成され、
前記モバイル画面用選択モジュール名表示部にリスト表示する基本モジュール名と自由モジュール名の配列で基本モジュールと自由モジュールを１画面のコンテンツとするように構成される、
ことを特徴とする携帯電話機向けモバイルサイトのコンテンツ制作装置。
【請求項２】
携帯電話機向けモバイルサイトのコンテンツ制作画面の各一画面として、モジュール名表示部と、モバイル画面用選択モジュール名表示部と、モジュール内容表示部とを区画するコンテンツ制作画面を表示し、
前記モジュール名表示部に、予め用意された複数の基本モジュールの基本モジュール名をリストアップすると共に、所望の内容に作成する自由モジュールの自由モジュール名とをリストアップし、
前記モジュール名表示部にリスト表示する基本モジュール名と自由モジュール名のいずれかを選択して前記モバイル画面用選択モジュール名表示部に移動表示し、又、前記モバイル画面用選択モジュール名表示部にリスト表示する基本モジュール名と自由モジュール名のいずれかを選択して前記モジュール名表示部に移動表示し、
前記モバイル画面用選択モジュール名表示部にリスト表示する基本モジュール名と自由モジュール名の配列を自在に変更し、
前記モバイル画面用選択モジュール名表示部にリスト表示する基本モジュール名を選択して前記モジュール内容表示部に基本モジュールのＨＴＭＬのタグを除いてテキスト又は画像名を表示し、前記モバイル画面用選択モジュール名表示部にリスト表示する自由モジュール名を選択して前記モジュール内容表示部に自由モジュールのＨＴＭＬソースを表示し又は書き込みし、
前記モバイル画面用選択モジュール名表示部にリスト表示する基本モジュール名と自由モジュール名の配列で基本モジュールと自由モジュールを１画面のコンテンツとする、
ことを特徴とする携帯電話機向けモバイルサイトのコンテンツ制作方法。
【発明の詳細な説明】
【技術分野】
【０００１】
本発明は、事業者や個人が自己のコンピュータを用いて携帯電話機向けモバイルサイトのコンテンツを制作してモバイルサイトを提供するサーバにアップロードすることができる、携帯電話機向けモバイルサイトのコンテンツ制作装置及び方法に関するものである。
【背景技術】
【０００２】
従来の携帯電話機向けモバイルサイトのコンテンツ制作方法として一つ目の方法として、携帯電話機向けモバイルサイトを制作しようとする使用者が使用者コンピュータ（ＰＣ）で１つの画面単位で全体的にソース（ＨＴＭＬコードなど）を挿入したり、画面をつくり、これをＦＴＰまたは別の方法でサーバに転送・保存することで、携帯電話機向けモバイルサイトを表示する方法である。この制作方法は、各画面一つ一つをすべて制作しなければならない。
【０００３】
二つ目の方法は、一つの画面に表示される内容を順序に従って記入していき、記入と同時に携帯電話機向けモバイルサイトが表示される方法である。この方法は、各画面の内容の順序がすでに固定されているため、位置変更が不可能である。更新時、例えばコピーライトなど多くの画面で共通に使用されているような内容が変更になった場合、それぞれの画面すべてで修正する必要がある。
【０００４】
三つ目の方法は、全画面に共通で表示される内容を別の項目で記入しておき、それぞれの画面は、二つ目の方法と同様に表示される内容を順どおりに従って記入する方法である。この方法は、全画面に共通で表示される項目を入力する部分があり、全画面に共通で表示される要素を別途登録する方法であった。この方法は、二つ目の方法の内容が改善されてはいるが、各画面別へ要素別の位置は以前と同じように固定されている。全画面に共通で表示される項目個別画面内では、位置が固定されるタイプのため、自由な画面構成は不可能である。それぞれの画面別に全画面項目で記入された値を表示する、表示しない等を設定するタイプもあるが、やはりこれも画面内の表示位置変更ができず、自由な画面制作とはいえない。
【０００５】
この他、画面上に表示するコンテンツを作成するために、作成中のコンテンツに対して他のコンテンツを引き出すためのリンクによる関連付けを行う必要があるが、リンク先の指定や画像検索等の複雑な操作を省き、細かい配置を行うことを不要とし、作業効率性や作業正確性の向上が可能なコンテンツの作成を目的として、編集中表示画面と編集済表示画面とを関連付ける操作により、位置制御部が、メタ情報を保持した編集済表示画面ファイルにおける編集済表示画面の情報が格納されている位置を特定し、編集済表示画面ファイル制御部が、編集済表示画面ファイルのメタ情報からオブジェクト情報を選定し、編集中表示画面ファイル制御部が、格納位置情報及びオブジェクト情報を、編集中表示画面ファイルに画面表示情報として記述する方法が提案されている。（特許文献１参照）。
【特許文献１】特開２００５−３２２０４５号公報
【発明の開示】
【発明が解決しようとする課題】
【０００６】
上述した従来の携帯電話機向けモバイルサイトのコンテンツ制作方法は、多数の画面に共通で表示される要素（コピーライト、トップ画面へのリンクなど）の場合にも各画面ごとに全てのソースを挿入しなければならない必要があったり、ひとつの画面内に表示される要素の上下表示位置変更が不可能であったり、携帯電話機向けモバイルサイトの制作と更新に相当な時間と労力が必要であった。
【０００７】
本発明は、上記事情に鑑み創案されたもので、通信販売事業者等が自己のコンピュータを用いて携帯電話機向けモバイルサイトのコンテンツを簡便に制作してモバイルサイトを提供するサーバにアップロードすることができる、携帯電話機向けモバイルサイトのコンテンツ制作装置及び方法を提供することを目的としている。
【課題を解決するための手段】
【０００８】
上記課題を解決するため、本発明の携帯電話機向けモバイルサイトのコンテンツ制作装置は、携帯電話機向けモバイルサイトのコンテンツ制作画面の各一画面として、モジュール名表示部と、モバイル画面用選択モジュール名表示部と、モジュール内容表示部とを区画するコンテンツ制作画面を備え、前記モジュール名表示部は、予め用意された複数の基本モジュールの基本モジュール名をリストアップすると共に、所望の内容に作成する自由モジュールの自由モジュール名とをリストアップするように構成され、前記モジュール名表示部と前記モバイル画面用選択モジュール名表示部は、リスト表示する基本モジュール名と自由モジュール名のいずれかを選択して相互に移動表示自在に構成され、前記モバイル画面用選択モジュール名表示部は、リスト表示する基本モジュール名と自由モジュール名の配列を変更自在に構成され、前記モバイル画面用選択モジュール名表示部と前記モジュール内容表示部とは、モバイル画面用選択モジュール名表示部において基本モジュール名を選択するとそれに対応する基本モジュールのＨＴＭＬのタグを除いてテキスト又は画像名を表示し、自由モジュール名を選択するとそれに対応する自由モジュールのＨＴＭＬソースを表示し又は書き込みするように構成され、前記モバイル画面用選択モジュール名表示部にリスト表示する基本モジュール名と自由モジュール名の配列で基本モジュールと自由モジュールを１画面のコンテンツとするように構成される、ことを特徴とする（請求項１）。
【０００９】
又、本発明の携帯電話機向けモバイルサイトのコンテンツ制作方法は、携帯電話機向けモバイルサイトのコンテンツ制作画面の各一画面として、モジュール名表示部と、モバイル画面用選択モジュール名表示部と、モジュール内容表示部とを区画するコンテンツ制作画面を表示し、前記モジュール名表示部に、予め用意された複数の基本モジュールの基本モジュール名をリストアップすると共に、所望の内容に作成する自由モジュールの自由モジュール名とをリストアップし、
前記モジュール名表示部にリスト表示する基本モジュール名と自由モジュール名のいずれかを選択して前記モバイル画面用選択モジュール名表示部に移動表示し、又、前記モバイル画面用選択モジュール名表示部にリスト表示する基本モジュール名と自由モジュール名のいずれかを選択して前記モジュール名表示部に移動表示し、前記モバイル画面用選択モジュール名表示部にリスト表示する基本モジュール名と自由モジュール名の配列を自在に変更し、前記モバイル画面用選択モジュール名表示部にリスト表示する基本モジュール名を選択して前記モジュール内容表示部に基本モジュールのＨＴＭＬのタグを除いてテキスト又は画像名を表示し、前記モバイル画面用選択モジュール名表示部にリスト表示する自由モジュール名を選択して前記モジュール内容表示部に自由モジュールのＨＴＭＬソースを表示し又は書き込みし、前記モバイル画面用選択モジュール名表示部にリスト表示する基本モジュール名と自由モジュール名の配列で基本モジュールと自由モジュールを１画面のコンテンツとする、ことを特徴とする。（請求項２）。
【００１０】
上記構成により、個別の一画面を制作する毎に、モジュール名表示部と、モバイル画面用選択モジュール名表示部と、モジュール内容表示部とを区画するコンテンツ制作画面を表示し、モジュール名表示部に既に最初から用意されている基本モジュールに加えて、制作または登録されていると自由モジュールを作成して蓄積して使用できて、これらモジュール名をモバイル画面用選択モジュール名表示部に移動していかようにも並べ替えることができて、モジュール内容表示部にてモジュールの内容を確認したり、書き加えたり、変更や削除ができ、そして、モバイル画面用選択モジュール名表示部にリスト表示された順に、モバイル画面に一画面として上から下に表示される。従って、通信販売事業者等が自己のコンピュータを用いて携帯電話機向けモバイルサイトのコンテンツを簡便に制作してモバイルサイトを提供するサーバにアップロードすることができる。
【発明の効果】
【００１１】
本発明によれば、上記のように構成したので以下のような優れた効果を奏する。
（１）ロゴ、コピーライト、リンクメニュー等、全画面に共通で使用する部分をモジュール化し、モジュールの内容のみを修正するだけで、全画面共通事項の制作、一括修正、更新等が簡単にできる。
（２）個別の画面制作と更新をする際、画面全般をソースで制作したり、固定された位置に内容を入力する従来の製品と比較して、既に最初から用意されている基本モジュールに加えて、制作または登録されていると自由モジュールを作成して蓄積して使用できるため、制作・修正が簡単になり、画面の管理が手軽にできるようになる。
（３）個別の画面を制作する際、画面全般をソースで制作したり固定された位置に内容を入力する従来の製品と比較して、画面要素の上下表示位置の変更が可能になったため、携帯電話機向けモバイルサイトの運営、更新が簡単になる。
【発明を実施するための最良の形態】
【００１２】
以下、本発明の一実施形態を図面を用いて詳述する。
図１は、携帯電話機向けモバイルサイトを提供する全体システムのブロック図を示す。
図１において、モバイルサイトを提供するサーバ１０は、インターネット１１と接続されている。又、モバイルサイトを提供するサーバ１０は、固有のデータベース１３と接続されている。モバイルサイトを提供するサーバ１０の管理者はプロバイダー（インターネットを提供する企業のみでなく、単にサービスを提供する企業も含む、以下同じ。）である。コンピュータ（例えばＰＣ）１４は、インターネット１１と接続されている。コンピュータ１４の管理者は、通信販売事業者又は通信販売事業を行おうとする者等（サイトで販売をせず、単なるモバイル上のサイトを作る事業者も含む。以下、通販業者という。）であり、前記プロバイダーが提供する携帯電話機向けモバイルサイトの制作ソフトプログラムをコンピュータ１４で使用して所望の携帯電話機向けモバイルサイトを制作することができる。通販業者が制作した携帯電話機向けモバイルサイトの情報は、コンピュータ１４からモバイルサイトを提供するサーバ１０に送信することにより、モバイルサイトを提供するサーバ１０によって、データベース１３に登録されると共にインターネット１１にアップロードされるように構成されている。一般消費者の携帯電話機１５は、そのディスプレイにて、インターネット１１に接続して所望にブラウジングすることにより、インターネット１１を介してモバイルサイトを提供するサーバ１０が提供する複数の携帯電話機向けモバイルサイトの中の所望のウェブサイトを選択し表示できる。
【００１３】
プロバイダーが提供する携帯電話機向けモバイルサイトの制作ソフトプログラムは、（１）ハードディスクやＤＶＤなどに記憶されて提供される場合と、（２）コンピュータ１４においてモバイルサイトを提供するサーバ１０の管理者のホームページを開いてダウンロードする場合と、（３）コンピュータ１４においてモバイルサイトを提供するサーバ１０の管理者のホームページを開いて携帯電話機向けモバイルサイトの制作プログラムにリンクするメニューをクリックしてモバイルサイトを提供するサーバ１０に回線接続しＩＤとパスワードを入力するウインドウに予め登録されたＩＤとパスワードを入力してモバイルサイトを提供するサーバ１０が用意している携帯電話機向けモバイルサイトの制作プログラムへオンライン接続する場合等のいずれであっても良い。
【００１４】
さらに、上記（１）、（２）の場合では、コンピュータ１４にプログラムを記憶し開いて携帯電話機向けモバイルサイトの制作を行っていき最後にコンピュータ１４よりモバイルサイトを提供するサーバ１０へログインして制作した情報を送信する場合と、コンピュータ１４にプログラムを記憶し開いてＩＤとパスワードを入力してモバイルサイトを提供するサーバ１０へログインしてモバイルサイトを提供するサーバ１０へオンライン接続する場合がある。
以下に説明する携帯電話機向けモバイルサイトの制作ソフトプログラムは、上記のいずれの場合にも共通する携帯電話機向けモバイルサイトの制作プロセスの構成に関するものである。
【００１５】
図１のコンピュータ１４のディスプレイ１４ａには、図２に示す携帯電話機向けモバイルサイトを制作するためのトップ画面２０が表示される。このトップ画面２０は、上段左側のモジュール名表示部２１と、上段右側のモバイル画面用選択モジュール名表示部２２と、下段のモジュール内容表示部２３とを備えている。
上段左側のモジュール名表示部２１には、コンピュータ１４に関わらず、プロバイダーによって予め作成された複数の基本モジュール名がリストアップされている。又、モジュール名表示部２１には、コンピュータ１４にて使用者（通販業者）作成モジュールの自由モジュール名をリストアップできるように構成されている。
【００１６】
前記基本モジュール名は、プログラムで作られた基本モジュールの名称である。前記自由モジュール名は、使用者がコンピュータ１４にて作成するモジュールの名称である。
プログラム自体の中に携帯電話機向けモバイルサイト制作時に、よく使用する基本的なモジュールは、予めモジュール化され内臓されていることが好ましいので、トップ画面２０が初期画面として開かれるときは上段左側のモジュール名表示部２１に基本モジュール名がリスト表示されるように構成されている。各画面で自由モジュールを使用するかしないかは、使用者の選択次第によるものとされる。
【００１７】
モジュール名表示部２１への自由モジュール名のリストアップは、トップ画面２０のツールバー２４から例えば「自由モジュールの作成」を選択して、図３に示すウインドウ２５を開いて自由モジュールの名称をモジュール名称記入バー２６に記入することにより、これと同時に、リストアップされる。自由モジュールとして登録するテキストやＨＴＭＬのタグはコンテンツ入力エリア２７に記入する。モジュール名表示部２１には、プログラムやＨＴＭＬのタグは表示されないようになっている。
【００１８】
例えば、基本モジュールとして「トップ画面へ」のリンクがある。この場合、モジュールの内容は、＜ａ  href="top.html"＞トップ画面へ＜/ａ＞（トップ画面のファイル名がtop.htmlの場合）であり、基本モジュールとして予め用意されているが、モジュール内容表示部２３には、「トップ画面へ」のテキスト表示が行なわれる。
上記の例以外にモバイルショッピングサイトの場合、水平線作成(<hr>)、検索ウィンドウ、おすすめ画面リストとログイン画面、お買物かご画面などの多様な画面へのリンクをモジュール化し、基本モジュールとして用意し、トップ画面２０を替えると、上段左側のモジュール名表示部２１にリスト表示される。なお、例えば、ログイン画面を作成する選択をしたときは、ログインのモジュール名は最初から上段右側のモバイル画面用選択モジュール名表示部２２にリスト表示されるように構成されているのが好ましい。
【００１９】
プログラム自体の中にすでに搭載されているモジュール以外に使用者が各画面でよく使用する内容をモジュール化し、予め設定しておくことができれば利便性が高いので、ここでは、使用者が予めモジュール化した自由モジュールを登録しておいて、トップ画面２０が初期画面として開かれるときは上段左側のモジュール名表示部２１に自由モジュール名が前記基本モジュール名と共にリスト表示されるように構成されている。各画面で自由モジュールを使用するかしないかは、使用者の選択次第によるものとされる。
例えば、自由モジュールとして、「コピーライト（Copyright）」がある。モジュール名として、例えばコピーライトモジュールと名づけることができる。
モジュール内容は、  copyrights  by  ENTERTECH<br>となり、これを毎回作成するのは面倒なので、使用者が予めモジュール化した自由モジュールを登録しておく。なお、基本モジュールとして、「コピーライト（Copyright）」が用意され、これに追記してカスタマイズしたものを自由モジュールを登録しておく場合もある。
【００２０】
トップ画面２０には、モジュール名表示部２１とモバイル画面用選択モジュール名表示部２２との間に、「→追加」のボタン２８が設けられている。モジュール名表示部２１にリスト表示された基本モジュール名と自由モジュール名のいずれかを選択し、該選択したことを白黒反転表示して、「→追加」のボタン２８をクリックすると、該選択したモジュール名が、左側のモジュール名表示部２１から右側のモバイル画面用選択モジュール名表示部２２に移動して表示されるようになっている。
【００２１】
例えば、左側のモジュール名表示部２１に、基本モジュール１、基本モジュール２、基本モジュール３、基本モジュール４、基本モジュール５、基本モジュール６、基本モジュール７、基本モジュール８、自由モジュール１、自由モジュール２、自由モジュール３、自由モジュール４、自由モジュール５、自由モジュール６がリスト表示されているものとして、基本モジュール１を選択して「→追加」のボタン２８をクリックし、次に、基本モジュール８を選択して「→追加」のボタン２８をクリックし、次に、自由モジュール４を選択して「→追加」のボタン２８をクリックし、次に、自由モジュール２を選択して「→追加」のボタン２８をクリックしたとすると、左側のモジュール名表示部２１にリスト表示されていた基本モジュール１、基本モジュール８、自由モジュール４、及び自由モジュール２は、この選択の順序で右側のモバイル画面用選択モジュール名表示部２２に移動して上から下方向へ選択順となってリスト表示される、ように構成されている。
【００２２】
従って、使用者（通販業者等）は、例えばモジュール名表示部２１に表示される基本モジュール名又は自由モジュール名を確認しながら、選択し、上段右側のモバイル画面用選択モジュール名表示部２２に移動させ、保存すると携帯電話機向けモバイルサイト画面では自動的にモジュールの内容が表示されるように構成されている。
【００２３】
又、トップ画面２０には、モジュール名表示部２１とモバイル画面用選択モジュール名表示部２２との間に、「←削除」のボタン２９が設けられている。モバイル画面用選択モジュール名表示部２２にリスト表示された基本モジュール名と自由モジュール名のいずれかを選択し、該選択したことを白黒反転表示して、「←削除」のボタン２９をクリックすると、該選択したモジュール名が、右側のモバイル画面用選択モジュール名表示部２２から左側のモジュール名表示部２１に移動して表示されるようになっている。
【００２４】
さらに、トップ画面２０には、モバイル画面用選択モジュール名表示部２２の右側に、「＋５」のボタン３０、「＋４」のボタン３１、「＋３」のボタン３２、「＋２」のボタン３３、「＋１」のボタン３４、「−１」のボタン３５、「−２」のボタン３６、「−３」のボタン３７、「−４」のボタン３８、「−５」のボタン３９が設けられている。
モバイル画面用選択モジュール名表示部２２に、例えば、左側のモジュール名表示部２１に、上から下へ順に、基本モジュール１、基本モジュール８、自由モジュール４、自由モジュール２がリスト表示されているとして、基本モジュール８を選択し、該選択したことを白黒反転表示して、「−１」のボタン３５をクリックすると、基本モジュール８が自由モジュール４と自由モジュール２の間に移動表示され、又、基本モジュール８を選択し、該選択したことを白黒反転表示して、「＋１」のボタン３５をクリックすると、基本モジュール８が基本モジュール１の上に移動表示されるように構成されている。
この操作により、モバイル画面用選択モジュール名表示部２２にリスト表示されるモジュール名の配列順をいかようにも変更することができるように構成されている。
【００２５】
トップ画面２０の上段右側のモバイル画面用選択モジュール名表示部２２にリスト表示されたいずれか一つのモジュール名を選択すると、そのモジュールの内容が、下段のモジュール内容表示部２３に表示されるように構成されている。
トップ画面２０の上段右側のモバイル画面用選択モジュール名表示部２２は、モバイル一画面分の上下に配列されるモジュールについてのモジュール名をリスト表示するように構成されていて、下段のモジュール内容表示部２３は、一モジュール名を選択したときに、その内容を表示し、追記・削除・変更ができる自由編集エリアとして提供するように構成されている。
従って、モバイル一画面は、モバイル画面用選択モジュール名表示部２２にリスト表示することと、その配列順と、リスト表示したモジュール名について下段のモジュール内容表示部２３で確認することで把握でき、必要に応じて、「→追加」のボタン２８と、「←削除」のボタン２９と、「＋５」のボタン３０〜「−５」のボタン３９とを操作し、モジュール内容表示部２３にて書き込み・削除を行うことで、いかようにも自由にかつ用意に編集することができるように構成されている。
【００２６】
モバイル画面用選択モジュール名表示部２２において基本モジュール名を選択した場合、下段のモジュール内容表示部２３には、基本モジュールがプログラムでできているからＨＴＭＬのタグを変更したり削除することができないようプログラムを保護するために、ＨＴＭＬのタグは表示されないようになっていて、テキストが表示されることにより、選択した基本モジュール名に対応する内容が分かるように構成されている。なお、選択した基本モジュール名に対応する内容の上側又は下側にテキストやＨＴＭＬタグを追記することができるように構成されている。
【００２７】
又、モバイル画面用選択モジュール名表示部２２において自由モジュール名を選択した場合、下段のモジュール内容表示部２３には、モジュール名表示部２１に自由モジュール名を追加表示する際に作成したＨＴＭＬ文書やテキストがソース表示されるように構成されている。トップ画面２０の左上のモジュール名表示部２１に自由モジュール名を追加表示する際に、自由モジュール名を記載しただけである場合には、当該自由モジュール名を、左上のモジュール名表示部２１から右上のモバイル画面用選択モジュール名表示部２２に移動してさらに選択すると、下段のモジュール内容表示部２３には何も表示されないので、モジュール内容表示部２３において、ＨＴＭＬコードを用いて内容を作成する。
【００２８】
このようにすると、上段右側のモバイル画面用選択モジュール名表示部２２にリスト表示された内容を、下段のモジュール内容表示部２３において確認したり、変更・追記などができる。そして、モバイル画面用選択モジュール名表示部２２にリスト表示したモジュール名の配列と、モジュール内容表示部２３におけるモジュール内容の確認を並行して行うことで、携帯電話機１５のディスプレイに表示されるモバイルサイトの画面がどのように並んで表示されるかを把握することができ、必要に応じて、「→追加」のボタン２８と「←削除」のボタン２９をクリックして必要な情報を付け加え不要な情報を削除し、そして、「＋５」のボタン３０〜「−５」のボタン３９を所望にクリックして、携帯電話機向けモバイルサイトの内容を制作していくことができる。
【００２９】
そして、トップ画面２０には、モジュール内容表示部２３の上側に「保存」の文字のリンクボタン４０が設けられており、携帯電話機向けモバイルサイトの内容の制作が完了して、「保存」のリンクボタン４０をクリックすると、この時点における、上段左側のモジュール名表示部２１にリスト表示されたモジュールの配列順序及び内容、並びに、上段右側のモバイル画面用選択モジュール名表示部２２にリスト表示されたモジュールの配列順序及び内容、がインターネット１１を介してモバイルサイトを提供するサーバ１０に情報送信されるように構成されている。モバイルサイトを提供するサーバ１０は、コンピュータ１４から送信された情報を受信すると、データベース１３に情報を登録すると共に、トップ画面２０の上段右側のモバイル画面用選択モジュール名表示部２２にリスト表示したモジュール名ではなくて、モジュール名に対応した内容をリスト表示の配列順に画面上から下へ並ぶようにインターネット１１を介して携帯電話機１５のディスプレイから確認できる。
アップロードされた携帯電話機向けモバイルサイトの内容の変更は、上記と同じ手順で行うことができる。
以上のように、コンピュータ１４において、インターネット１１に上で管理画面へログインし、使用権限を獲得した使用者は、管理画面でプログラムとして提供されるモジュール、使用者（通販業者等）が制作するモジュール、また各画面別に提供される自由編集エリア等を操作して携帯電話機向けモバイルサイト画面を制作することができる。
【００３０】
一般消費者の携帯電話機１５は、そのディスプレイにて、インターネット１１に接続して所望にブラウジングすることにより、上記制作されたモバイルサイトを表示できる。この場合、コンピュータ１４において、トップ画面２０の上段右側のモバイル画面用選択モジュール名表示部２２に、例えば、左側のモジュール名表示部２１に、上から下へ順に、基本モジュール１、基本モジュール８、自由モジュール４、自由モジュール２をリスト表示して「保存」のリンクボタン４０をクリックしてアップロードされたモバイルサイトであれば、基本モジュール１、基本モジュール８、自由モジュール４、自由モジュール２の配列順に上から下へ情報表示が行なわれる。
【００３１】
本発明は、上記の実施形態に限定されるものでなく、要旨を逸脱しない範囲の種々の設計変更を含むものである。
【図面の簡単な説明】
【００３２】
【図１】本発明の一実施形態の携帯電話機向けモバイルサイトを提供する全体システムのブロック図。
【図２】携帯電話機向けモバイルサイトを制作するためのトップ画面。
【図３】「自由モジュールの作成」のウインドウ
【符号の説明】
【００３３】
１４ａ  コンピュータのディスプレイ
２０  トップ画面
２１  モジュール名表示部
２２  モバイル画面用選択モジュール名表示部
２３  モジュール内容表示部
【図１】
2007264859.tif 000003
【図２】
2007264859.tif 000004
【図３】
2007264859.tif 000005